(57)【要約】【課題】クラッチシューが摩耗してもアシスト推力を一定に維持またはアシスト推力を低下させることができる遠心クラッチを提供する。【解決手段】遠心クラッチ２００は、エンジンの駆動力によって回転駆動するドライブプレート２１０を備えている。ドライブプレート２１０は、揺動支持ピン２１４およびプレート側カム体２１８をそれぞれ備えている。揺動支持ピン２１４は、クラッチウエイト２３０に形成された長孔状のピン摺動孔２３１に嵌合してクラッチウエイト２３０を揺動自在に支持する。プレート側カム体２１８は、円筒状のローラで構成されており、クラッチウエイト２３０のウエイト側カム体２３５が接触している。ウエイト側カム体２３５は、クラッチシュー２３３の摩耗が進む前後においてクラッチシュー２３３がクラッチアウター２４０の円筒面に接触したときのカム角度が同じになる曲面に形成されている。【選択図】  図２
2019196825.tif 000002
【特許請求の範囲】
【請求項１】
エンジンの駆動力を受けてドリブンプーリとともに一体的に回転駆動するドライブプレートと、
前記ドライブプレートの外側にこのドライブプレートと同心で設けられた円筒面を有するクラッチアウターと、
前記ドライブプレートの周方向に沿って延びて形成されて前記クラッチアウターの円筒面に面するクラッチシューを有して前記周方向における一方の端部側が前記ドライブプレート上に揺動支持ピンおよびピン摺動孔を介して回動可能に取り付けられるとともに他方の端部側が前記クラッチアウターの円筒面側に向かって変位するクラッチウエイトと、
前記ドライブプレートに同ドライブプレートの回転駆動軸方向に延びる面を有したプレート側カム体と、
前記クラッチウエイトに設けられて前記クラッチウエイトの前記他方の端部側の変位の際に前記プレート側カム体上を摺動して乗り上げるウエイト側カム体とを備え、
前記揺動支持ピンは、
前記ドライブプレートおよび前記クラッチウエイトのうちの一方に設けられて前記ドライブプレートおよび前記クラッチウエイトのうちの他方側に延びて形成されており、
前記ピン摺動孔は、
前記ドライブプレートおよび前記クラッチウエイトのうちの他方に設けられるとともに前記クラッチウエイトの前記一方の端部側の前記ドライブプレートの回転駆動方向の後方側への変位を許容する長孔状に形成されて前記揺動支持ピンが摺動変位自在に嵌合しており、
前記プレート側カム体および前記ウエイト側カム体は、
少なくとも一方の摺動面が曲面を有して構成されているとともに、同摺動面は前記プレート側カム体と前記ウエイト側カム体とが互いに接触する摺動部分と前記ドライブプレートの回転駆動中心とを通る直線に対する法線と前記摺動部分における前記曲面の接線との角度であるカム角度を想定したとき、前記クラッチシューの摩耗が進む前後において前記クラッチシューが前記クラッチアウターの円筒面に接触したときの前記カム角度が同じまたは前記摩耗が進んだときの前記カム角度の方が大きくなる曲面に形成されていることを特徴とする遠心クラッチ。
【請求項２】
請求項１に記載した遠心クラッチにおいて、
前記プレート側カム体および前記ウエイト側カム体は、
前記少なくとも一方の摺動面が前記クラッチシューの摩耗が進む前後において前記クラッチシューが前記クラッチアウターの円筒面に接触したときの前記カム角度が同じになる曲面に形成されていることを特徴とする遠心クラッチ。
【請求項３】
請求項１または請求項２に記載した遠心クラッチにおいて、
前記プレート側カム体は、
前記摺動面が凸状の曲面を有して構成されており、
前記ウエイト側カム体は、
前記摺動面が凸状の曲面に対して摺動する凹状または凸状の曲面を有して構成されていることを特徴とする遠心クラッチ。
【請求項４】
請求項３に記載した遠心クラッチにおいて、
前記プレート側カム体は、
前記ドライブプレートに対して回転自在に支持されたローラで構成されており、
前記ウエイト側カム体は、
前記摺動面が前記ローラに対して摺動する曲面を有して構成されていることを特徴とする遠心クラッチ。
【請求項５】
請求項１ないし請求項４のうちのいずれか１つに記載した遠心クラッチにおいて、さらに、
前記揺動支持ピンと前記ピン摺動孔との間に設けられて両者を摺動させる支点側摺動部材を備えていることを特徴とする遠心クラッチ。
【発明の詳細な説明】
【技術分野】
【０００１】
エンジンが所定の回転数に達するまでの間は回転駆動力の従動側への伝達を遮断するとともに、エンジンが所定の回転数に達したときに回転駆動力を従動側に伝達する遠心クラッチに関する。
【背景技術】
【０００２】
従来から、二輪自動車や刈払機などにおいては、エンジンが所定の回転数に達したときに回転駆動力を従動側に伝達する遠心クラッチが用いられている。例えば、下記特許文献１には、エンジンからの回転駆動力によって回転駆動するドライブプレートとこのドライブプレートに回動自在に支持されてドライブプレートの回転駆動によって径方向外側に開いてクラッチアウターに押し付けられるクラッチウエイトを備えた遠心クラッチが開示されている。この場合、遠心クラッチは、ドライブプレートとクラッチウエイトとの間に一対のカムを構成する突起体および従動部をそれぞれ備えており、この一対のカムによってクラッチウエイトを迅速かつ強力にクラッチアウターに押し付けることができるように構成されている。
【先行技術文献】
【特許文献】
【０００３】
【特許文献１】特開２０１８−９６７５号公報
【０００４】
しかしながら、上記特許文献１に記載された遠心クラッチにおいては、クラッチウエイトに設けられてクラッチアウターに押し付けられるクラッチシューの摩耗が進むに伴ってカム角度が小さくなりクラッチウエイトがクラッチアウターを押すアシスト推力が増加して運転操作のフィーリングが変化するとともにクラッチシューなどの摩擦部材の摩耗が早まるという問題があった。
【０００５】
ここで、カム角度とは、突起体と従動部とが互いに接触する摺動部分とドライブプレートの回転駆動中心とを通る直線に対する法線と前記摺動部分における摺動方向線との角度である。この場合、前記摺動部分が面接触である場合には摺動方向における摺動部分の長さの中央位置である。また、摺動方向線は、突起体および従動部のうちの少なくとも一方が曲面である場合には、摺動部分における前記曲面の接線である。本願発明者らは、このカム角度が大きいほどアシスト推力が小さくなるとともに、カム角度が小さくなるほどアシスト推力が大きくなることを知見した。
【０００６】
そして、本願発明者らは、突起体がローラで構成されるとともに従動部が直線状に延びる平面で構成された上記特許文献１に記載された遠心クラッチにおいては、クラッチシューの摩耗が進むに伴ってカム角度が小さくなりクラッチウエイトがクラッチアウターを押すアシスト推力が増加することを知見した。
【０００７】
本発明は上記問題に対処するためなされたもので、その目的は、クラッチシューが摩耗してもアシスト推力を一定に維持またはアシスト推力を低下させることができる遠心クラッチを提供することにある。
【発明の概要】
【０００８】
上記目的を達成するため、本発明の特徴は、エンジンの駆動力を受けてドリブンプーリとともに一体的に回転駆動するドライブプレートと、ドライブプレートの外側にこのドライブプレートと同心で設けられた円筒面を有するクラッチアウターと、ドライブプレートの周方向に沿って延びて形成されてクラッチアウターの円筒面に面するクラッチシューを有して前記周方向における一方の端部側がドライブプレート上に揺動支持ピンおよびピン摺動孔を介して回動可能に取り付けられるとともに他方の端部側がクラッチアウターの円筒面側に向かって変位するクラッチウエイトと、ドライブプレートに同ドライブプレートの回転駆動軸方向に延びる面を有したプレート側カム体と、クラッチウエイトに設けられてクラッチウエイトの前記他方の端部側の変位の際にプレート側カム体上を摺動して乗り上げるウエイト側カム体とを備え、揺動支持ピンは、ドライブプレートおよびクラッチウエイトのうちの一方に設けられてドライブプレートおよびクラッチウエイトのうちの他方側に延びて形成されており、ピン摺動孔は、ドライブプレートおよびクラッチウエイトのうちの他方に設けられるとともにクラッチウエイトの前記一方の端部側のドライブプレートの回転駆動方向の後方側への変位を許容する長孔状に形成されて揺動支持ピンが摺動変位自在に嵌合しており、プレート側カム体およびウエイト側カム体は、少なくとも一方の摺動面が曲面を有して構成されているとともに、同摺動面はプレート側カム体とウエイト側カム体とが互いに接触する摺動部分とドライブプレートの回転駆動中心とを通る直線に対する法線と摺動部分における曲面の接線との角度であるカム角度を想定したとき、クラッチシューの摩耗が進む前後においてクラッチシューがクラッチアウターの円筒面に接触したときのカム角度が同じまたは前記摩耗が進んだときのカム角度の方が大きくなる曲面に形成されていることにある。
【０００９】
このように構成した本発明の特徴によれば、遠心クラッチは、ドライブプレートに設けられたプレート側カム体およびクラッチウエイトに設けられたウエイト側カム体における各摺動面のうちの少なくとも一方が曲面で構成されるとともに、この摺動面がクラッチシューの摩耗が進む前後においてクラッチシューがクラッチアウターの円筒面に接触したときのカム角度が同じになる曲面または同カム角度が大きくなる曲面に形成されている。これにより、本発明に係る遠心クラッチにおいては、クラッチシューが摩耗してもアシスト推力を一定に維持して運転操作のフィーリングを一定にすることができるとともに、アシスト推力が上昇することを抑制してプレート側カム体とウエイト側カム体との面圧およびクラッチシューとクラッチアウターとの面圧の上昇を抑えて摩擦部分の摩耗および損傷を抑制することができる。
【００１０】
なお、上各記発明における長孔とは、一方向における長さがこの一方向に直交する幅方向に対して長く全体として細長く延びた貫通孔または止り穴である。
【００１１】
また、本発明の他の特徴は、前記遠心クラッチにおいて、プレート側カム体およびウエイト側カム体は、前記少なくとも一方の摺動面がクラッチシューの摩耗が進む前後においてクラッチシューがクラッチアウターの円筒面に接触したときのカム角度が同じになる曲面に形成されていることにある。
【００１２】
このように構成した本発明の他の特徴によれば、遠心クラッチは、プレート側カム体および前記ウエイト側カム体における前記少なくとも一方の摺動面がクラッチシューの摩耗が進む前後においてクラッチシューがクラッチアウターの円筒面に接触したときのカム角度が同じになる曲面に形成されているため、クラッチシューが摩耗してもアシスト推力を一定に維持して運転操作のフィーリングを一定にすることができるとともにプレート側カム体、ウエイト側カム体、クラッチシューおよびクラッチアウターなどの摩擦部材の摩耗が早まることを抑制することができる。
【００１３】
また、本発明の他の特徴は、前記遠心クラッチにおいて、プレート側カム体は、摺動面が凸状の曲面を有して構成されており、ウエイト側カム体は、摺動面が凸状の曲面に対して摺動する凹状または凸状の曲面を有して構成されていることにある。
【００１４】
このように構成した本発明の他の特徴によれば、遠心クラッチは、プレート側カム体における摺動面が凸状の曲面を有して構成されているとともに、ウエイト側カム体における摺動面が凸状の曲面に対して摺動する凹状または凸状の曲面を有して構成されて両摺動面が共に曲面で構成されているため、プレート側カム体およびウエイト側カム体のうちの一方を直線状に延びる平面状に形成した場合に比べて、プレート側カム体およびウエイト側カム体を物理的に小さく構成でき遠心クラッチをコンパクト化することができる。
【００１５】
また、本発明の他の特徴は、前記遠心クラッチにおいて、プレート側カム体は、ドライブプレートに対して回転自在に支持されたローラで構成されており、ウエイト側カム体は、摺動面がローラに対して摺動する曲面を有して構成されていることにある。
【００１６】
このように構成した本発明の他の特徴によれば、遠心クラッチは、プレート側カム体がドライブプレートに対して回転自在に支持されたローラで構成されているとともに、ウエイト側カム体における摺動面が前記ローラに対して摺動する曲面を有して構成されているため、プレート側カム体およびウエイト側カム体を物理的に小さく単純な構成にすることができる。
【００１７】
また、本発明の他の特徴は、前記遠心クラッチにおいて、さらに、揺動支持ピンとピン摺動孔との間に設けられて両者を摺動させる支点側摺動部材を備えていることにある。
【００１８】
このように構成した本発明の他の特徴によれば、遠心クラッチは、揺動支持ピンとピン摺動孔とが支点側摺動部材を介して摺動するため、揺動支持ピンおよびピン摺動孔と支点側摺動部材との間の摺動性が向上してクラッチアウターに対してクラッチウエイトをより円滑に回動変位させることができるとともに揺動支持ピンおよびピン摺動孔の摩耗を防止することができる。この場合、遠心クラッチは、揺動支持ピンおよびピン摺動孔をそれぞれ金属材料で構成するとともに支点側摺動部材を樹脂材料で構成することで、揺動支持ピンおよびピン摺動孔と支点側摺動部材との間の摺動性をより向上させることができる。
【００１９】
支点側摺動部材を構成する樹脂材料としては、耐熱性および耐摩耗性を有する熱可塑性樹脂または熱硬化性樹脂を用いることができ、エンジニアリングプラスチックまたはスーパーエンジニアリングプラスチックが好適である。具体的には、熱可塑性樹脂としては、ポリエーテルエーテルケトン樹脂（ＰＥＥＫ）、ポリフェニレンサルファイド樹脂（ＰＰＳ）、ポリアミドイミド樹脂（ＰＡＩ）、フッ素樹脂（ＰＴＦＥ）またはポリイミド樹脂（ＰＩ）を用いることができ、熱硬化性樹脂としては、ジアリルフタレート樹脂（ＰＤＡＰ）、エポキシ樹脂（ＥＰ）またはシリコン樹脂（ＳＩ）を用いることができる。
【図面の簡単な説明】
【００２０】
【図１】本発明に係る遠心クラッチを備えた動力伝達機構の構成を概略的に示す平面断面図である。
【図２】図１に示す２−２線から見た遠心クラッチの側面図である。
【図３】図１および図２にそれぞれ示す遠心クラッチにおけるドライブプレートの外観構成を概略的に示す斜視図である。
【図４】図１および図２にそれぞれ示す遠心クラッチにおけるドライブプレート、支点側摺動部材、プレート側カム体およびクラッチウエイトの組付け状態を示すための部分分解斜視図である。
【図５】図１および図２にそれぞれ示す遠心クラッチにおけるクラッチウエイトの外観構成の概略をドライブプレート側からの視野で示す斜視図である。
【図６】図２に示す遠心クラッチについてクラッチシューがクラッチアウターに接触しない遮断状態で示す部分拡大図である。
【図７】図６に示す遠心クラッチにおけるクラッチシューに摩耗がないまたは少ない初期状態でクラッチアウターに押し付けられた連結状態を示した部分拡大図である。
【図８】図７に示す遠心クラッチにおけるクラッチウエイトがドライブプレートの径方向内側に傾倒する直前の状態を示した部分拡大図である。
【図９】図６に示す遠心クラッチにおけるクラッチシューの厚さが使用限界に近い終期状態まで摩耗した状態でクラッチアウターに接触した連結状態を示した部分拡大図である。
【図１０】本発明の変形例に係る遠心クラッチにおけるクラッチシューの厚さが使用限界に近い終期状態まで摩耗した状態でクラッチアウターに接触した連結状態を示した部分拡大図である。
【図１１】本発明の他の変形例に係る遠心クラッチにおけるドライブプレートの外観構成を概略的に示す斜視図である。
【図１２】図１１示すドライブプレートを備えた遠心クラッチにおけるクラッチシューに摩耗がないまたは少ない初期状態でクラッチアウターに接触した連結状態を示した部分拡大図である。
【図１３】図１１示すドライブプレートを備えた遠心クラッチにおけるラッチシューの厚さが使用限界に近い終期状態まで摩耗した状態でクラッチアウターに接触した連結状態を示した部分拡大図である。
【図１４】本発明の他の変形例に係る遠心クラッチにおけるクラッチウエイトの外観構成の概略をドライブプレート側からの視野で示す斜視図である。
【発明を実施するための形態】
【００２１】
以下、本発明に係る遠心クラッチの一実施形態について図面を参照しながら説明する。図１は、本発明に係る遠心クラッチ２００を備えた動力伝達機構１００の構成を概略的に示す平面断面図である。また、図２は、図１に示す２−２線から見た遠心クラッチ２００の側面図である。この遠心クラッチ２００を備えた動力伝達機構１００は、主としてスクータなどの自動二輪車両において、エンジンと駆動輪である後輪との間に設けられてエンジンの回転数に対する減速比を自動的に変更しながら回転駆動力を後輪に伝達または遮断する機械装置である。
【００２２】
（遠心クラッチ２００の構成）
この動力伝達機構１００は、主として、変速機１０１および遠心クラッチ２００をそれぞれ備えている。変速機１０１は、図示しないエンジンからの回転駆動力を無段階で減速して遠心クラッチ２００に伝達する機械装置であり、主として、ドライブプーリ１１０、Ｖベルト１２０およびドリブンプーリ１３０をそれぞれ備えて構成されている。これらのうち、ドライブプーリ１１０は、エンジンから延びるクランク軸１１１上に設けられてエンジンの回転駆動力によって直接回転駆動する機械装置であり、主として、固定ドライブプレート１１２および可動ドライブプレート１１３をそれぞれ備えて構成されている。
【００２３】
固定ドライブプレート１１２は、可動ドライブプレート１１３とともにＶベルト１２０を挟んで保持した状態で回転駆動する部品であり、金属材料を円錐筒状に形成して構成されている。この固定ドライブプレート１１２は、凸側の面が可動ドライブプレート１１３側（エンジン側）に向いた状態でクランク軸１１１上に固定的に取り付けられている。すなわち、固定ドライブプレート１１２は、常にクランク軸１１１と一体的に回転駆動する。また、固定ドライブプレート１１２における凹側の面上には、複数の放熱フィン１１２ａがクランク軸１１１の軸線を中心として放射状に設けられている。
【００２４】
可動ドライブプレート１１３は、固定ドライブプレート１１２とともにＶベルト１２０を挟んで保持した状態で回転駆動する部品であり、金属材料を円錐筒状に形成して構成されている。この可動ドライブプレート１１３は、凸側の面が固定ドライブプレート１１２に対向する向きでクランク軸１１１に取り付けられている。この場合、可動ドライブプレート１１３は、クランク軸１１１に対して固定的に嵌合するスリーブ軸受１１４上に含浸ブッシュを介して取り付けられており、スリーブ軸受１１４に対して軸方向および周方向にそれぞれ摺動自在に取り付けられている。
【００２５】
一方、可動ドライブプレート１１３の凹側の面には、複数のローラウエイト１１５がランププレート１１６によって押圧された状態で設けられている。ローラウエイト１１５は、可動ドライブプレート１１３の回転数の増加に応じて径方向外側に変位することによってランププレート１１６と協働して可動ドライブプレート１１３を固定ドライブプレート１１２側に押圧するための部品であり、金属材料を筒状に形成して構成されている。また、ランププレート１１６は、ローラウエイト１１５を可動ドライブプレート１１３側に押圧する部品であり、金属板を可動ドライブプレート１１３側に屈曲させて構成されている。
【００２６】
Ｖベルト１２０は、ドライブプーリ１１０の回転駆動力をドリブンプーリ１３０に伝達するための部品であり、芯線をゴム材などの弾性材料で覆った無端のリング状に形成されている。このＶベルト１２０は、固定ドライブプレート１１２と可動ドライブプレート１１３との間およびドリブンプーリ１３０における固定ドリブンプレート１３１と可動ドリブンプレート１３４との間に配置されてドライブプーリ１１０とドリブンプーリ１３０との間に架設されている。
【００２７】
ドリブンプーリ１３０は、ドライブプーリ１１０およびＶベルト１２０をそれぞれ介して伝達されるエンジンからの回転駆動力によって回転駆動する機械装置であり、主として、固定ドリブンプレート１３１および可動ドリブンプレート１３４をそれぞれ備えて構成されている。
【００２８】
固定ドリブンプレート１３１は、可動ドリブンプレート１３４とともにＶベルト１２０を挟んで保持した状態で回転駆動する部品であり、金属材料を円錐筒状に形成して構成されている。この固定ドリブンプレート１３１は、凸側の面が可動ドリブンプレート１３４側に向いた状態でドリブンスリーブ１３２上に固定的に取り付けられている。
【００２９】
ドリブンスリーブ１３２は、固定ドリブンプレート１３１と一体的に回転駆動する金属製の筒状部品であり、ドライブシャフト１３３に対してベアリングを介して相対回転自在に取り付けられている。ドライブシャフト１３３は、この動力伝達機構１００が搭載される自動二輪車両の後輪を図示しないトランスミッションを介して駆動するための金属製の回転軸体である。この場合、自動二輪車両の後輪は、ドライブシャフト１３３における一方（図示右側）の端部に取り付けられている。
【００３０】
可動ドリブンプレート１３４は、固定ドリブンプレート１３１とともにＶベルト１２０を挟んで保持した状態で回転駆動する部品であり、金属材料を円錐筒状に形成して構成されている。この可動ドリブンプレート１３４は、凸側の面が固定ドリブンプレート１３１に対向する向きでドリブンスリーブ１３２に対して軸方向に摺動自在な状態で嵌合している。
【００３１】
一方、可動ドリブンプレート１３４の凹側の面には、遠心クラッチ２００におけるドライブプレート２１０との間にトルクスプリング１３５が設けられている。トルクスプリング１３５は、可動ドリブンプレート１３４を固定ドリブンプレート１３１側に弾性的に押圧するコイルスプリングである。すなわち、この変速機１０１は、固定ドライブプレート１１２と可動ドライブプレート１１３との間隔で規定されるＶベルト１２０を挟む直径と、固定ドリブンプレート１３１と可動ドリブンプレート１３４との間隔で規定されるＶベルト１２０を挟む直径との大小関係によってエンジンの回転数を無段階で変速する。そして、ドリブンスリーブ１３２およびドライブシャフト１３３における各先端部側には遠心クラッチ２００が設けられている。
【００３２】
遠心クラッチ２００は、変速機１０１を介して伝達されたエンジンの回転駆動力をドライブシャフト１３３に伝達または遮断する機械装置であり、主として、ドライブプレート２１０、３つのクラッチウエイト２３０およびクラッチアウター２４０をそれぞれ備えて構成されている。
【００３３】
ドライブプレート２１０は、ドリブンスリーブ１３２と一体的に回転駆動する部品であり、金属材料を段付きの円板状に形成して構成されている。より具体的には、ドライブプレート２１０は、図３および図４にそれぞれ示すように、平板状の底部２１１の中央部にドリブンスリーブ１３２が貫通する貫通孔２１１ａが形成されているとともに、この底部２１１の周囲に起立した筒部２１２の先端部にフランジ状に張り出した鍔部２１３が形成されて構成されている。鍔部２１３には、周方向に沿ってそれぞれ３つずつの揺動支持ピン２１４、カム体支持ピン２１７およびダンパー受けピン２２０がそれぞれ等間隔で設けられている。
【００３４】
揺動支持ピン２１４は、後述するクラッチウエイト２３０における一方の端部側を回動可能に支持して他方の端部側を揺動させるための部品であり、金属製の段付きの棒体で構成されている。この場合、揺動支持ピン２１４は、取付ボルト２１４ａによって鍔部２１３に固定的に取り付けられている。この揺動支持ピン２１４は、外周部に支点側摺動部材２１５を介してクラッチウエイト２３０のピン摺動孔２３１内を貫通した状態で、先端部に取り付けられるＥリング２１４ｂおよびこのＥリング２１４ｂとクラッチウエイト２３０との間にサイドプレート２１６をそれぞれ介してクラッチウエイト２３０を挟んだ状態で支持している。
【００３５】
支点側摺動部材２１５は、揺動支持ピン２１４とピン摺動孔２３１との間に配置されて両者の摺動性を向上させるための部品であり、樹脂材料を円筒状に形成して構成されている。この支点側摺動部材２１５は、揺動支持ピン２１４およびピン摺動孔２３１に対してそれぞれ回転摺動可能な内径および外径、すなわち、揺動支持ピン２１４およびピン摺動孔２３１に対してそれぞれ隙間ばめとなる寸法公差に形成されている。
【００３６】
また、支点側摺動部材２１５を構成する樹脂材料としては、耐熱性および耐摩耗性を有する熱可塑性樹脂または熱硬化性樹脂を用いることができ、エンジニアリングプラスチックまたはスーパーエンジニアリングプラスチックが好適である。具体的には、熱可塑性樹脂としては、ポリエーテルエーテルケトン樹脂（ＰＥＥＫ）、ポリフェニレンサルファイド樹脂（ＰＰＳ）、ポリアミドイミド樹脂（ＰＡＩ）、フッ素樹脂（ＰＴＦＥ）またはポリイミド樹脂（ＰＩ）を用いることができ、熱硬化性樹脂としては、ジアリルフタレート樹脂（ＰＤＡＰ）、エポキシ樹脂（ＥＰ）またはシリコン樹脂（ＳＩ）を用いることができる。サイドプレート２１６は、３つのクラッチウエイト２３０が各揺動支持ピン２１４から抜けることを防止するための部品であり、金属材料をリング状に形成して構成されている。
【００３７】
カム体支持ピン２１７は、プレート側カム体２１８を回転自在な状態で支持するための部品であり、金属製の段付きの棒体で構成されている。このカム体支持ピン２１７は、クラッチウエイト２３０におけるピン摺動孔２３１よりもクラッチウエイト２３０の先端部側の部分に対向する鍔部２１３上に取付ボルト２１７ａによって固定的に取り付けられる。
【００３８】
プレート側カム体２１８は、クラッチウエイト２３０をクラッチアウター２４０側に押圧するための部品であり、樹脂材料を円筒状に形成して構成されている。この場合、プレート側カム体２１８は、カム体支持ピン２１７に対して回転摺動可能な内径、すなわち、カム体支持ピン２１７に対して所謂隙間ばめとなる寸法公差で形成されている。また、プレート側カム体２１８を構成する樹脂材料は、前記支点側摺動部材２１５を構成する樹脂材料と同様である。
【００３９】
ダンパー受けピン２２０は、ダンパー２２１を支持するための部品であり、金属製の棒体で構成されている。ダンパー２２１は、クラッチウエイト２３０における前記他方の端部側をクラッチアウター２４０に対して接近または離隔させる揺動運動を案内するとともに離隔時における緩衝材となる部品であり、ゴム材を円筒状に形成して構成されている。このダンパー２２１は、ダンパー受けピン２２０の外周面上に固定的に嵌合している。
【００４０】
３つのクラッチウエイト２３０は、図４および図５にそれぞれ示すように、それぞれドライブプレート２１０の回転数に応じてクラッチアウター２４０に対してクラッチシュー２３３を介して接触または離隔することによってエンジンからの回転駆動力をドライブシャフト１３３に伝達または遮断するための部品であり、金属材料（例えば、亜鉛材）をドライブプレート２１０の周方向に沿って延びる湾曲した形状に形成して構成されている。
【００４１】
これらのクラッチウエイト２３０は、それぞれ一方の端部側がピン摺動孔２３１を介して揺動支持ピン２１４および支点側摺動部材２１５によって回動自在に支持された状態で、他方の端部側が互いに隣接するクラッチウエイト２３０に連結スプリング２３２によって連結されてドライブプレート２１０の内側方向に向かって引っ張られている。すなわち、クラッチウエイト２３０は、クラッチシュー２３３が設けられた前記他方の端部側がクラッチアウター２４０に対して揺動自在な状態でドライブプレート２１０上に揺動支持ピン２１４、支点側摺動部材２１５およびピン摺動孔２３１をそれぞれ介して支持されている。
【００４２】
なお、図２においては、クラッチウエイト２３０の構成を分かり易くするため、３つのクラッチウエイト２３０のうちの１つのクラッチウエイト２３０における２か所をそれぞれ異なる厚さ方向の面で破断して示している。また、図２においては、遠心クラッチ２００におけるドライブプレート２１０、クラッチアウター２４０の回転駆動方向をそれぞれ破線矢印で示している。
【００４３】
ピン摺動孔２３１は、前記ドライブプレート２１０における揺動支持ピン２１４に支点側摺動部材２１５を介して回動自在かつ摺動自在に嵌合する部分であり、クラッチウエイト２３０の厚さ方向に貫通する貫通孔によって構成されている。このピン摺動孔２３１は、クラッチシュー２３３がクラッチアウター２４０に接触した際にクラッチウエイト２３０における前記一方の端部側がドライブプレート２１０の回転駆動方向の後方側に変位するように長孔状に形成されている。
【００４４】
この場合、ピン摺動孔２３１を構成する長孔は、一方向における長さがこの一方向に直交する幅方向に対して長く全体として細長く延びて形成されている。より具体的には、ピン摺動孔２３１は、ドライブプレート２１０の径方向となる幅方向が支点側摺動部材２１５の外径に対して若干大きな隙間ばめの大きさの内径に形成される。一方、ピン摺動孔２３１の長手方向は、クラッチウエイト２３０のウエイト側カム体２３５のプレート側カム体２１８への押し付けが強まって乗り上がりがより促進される側にクラッチウエイト２３０の変位を許容する方向に延びる円弧状または直線状に形成される。
【００４５】
本実施形態においては、ピン摺動孔２３１は、ドライブプレート２１０の回転駆動方向の前方側に円弧状に延びて形成されている。この場合、ピン摺動孔２３１の長手方向を構成する２つの円弧は、本実施形態においては、ドライブプレート２１０と同心であるが、必ずしも同心でなくてもよい。
【００４６】
クラッチシュー２３３は、クラッチアウター２４０の内周面に対する摩擦力を増大させるための部品であり、摩擦材を円弧状に延びる板状に形成して構成されている。このクラッチシュー２３３は、各クラッチウエイト２３０におけるピン摺動孔２３１とは反対側の先端部側の外周面に設けられている。
【００４７】
また、各クラッチウエイト２３０の各内周面におけるドライブプレート２１０のプレート側カム体２１８に対向する部分には、プレート側カム体２１８を覆うように凹状に窪んだ形状でプレート側カム体逃げ部２３４がそれぞれ形成されている。プレート側カム体逃げ部２３４は、プレート側カム体２１８に乗り上げるウエイト側カム体２３５が形成される部分であり、クラッチウエイト２３０の内周面に開口して奥側に延びる溝状に形成されるとともに同奥側部分がプレート側カム体２１８に接触しないように円弧状に切り欠かれて形成されている。
【００４８】
ウエイト側カム体２３５は、プレート側カム体２１８と協働してクラッチウエイト２３０をクラッチアウター２４０側に変位させるための部分であり、ドライブプレート２１０の回転駆動方向の後方側に面する滑らかな曲面で構成されている。より具体的には、ウエイト側カム体２３５は、プレート側カム体２１８に押し付けられる摺動面がドライブプレート２１０の回転駆動方向の後方かつ外側に向かって湾曲して延び円弧状に形成されている。
【００４９】
この場合、ウエイト側カム体２３５を構成するこの摺動面は、クラッチシュー２３３の摩耗が進む前後においてクラッチシュー２３３がクラッチアウター２４０の円筒面２４１に接触したときのカム角度αが同じになる曲率の曲面に形成されている。ここで、カム角度αは、プレート側カム体２１８とウエイト側カム体２３５とが互いに接触して摺動し合う部分である接触点Ｐとドライブプレート２１０の回転駆動中心Ｏとを通る直線Ｌ１に対する法線Ｌ２と前記摺動部分におけるウエイト側カム体２３５を構成する曲面の接線Ｌ３との角度である。
【００５０】
したがって、ウエイト側カム体２３５を構成する摺動面は、クラッチシュー２３３が新品で摩耗がないまたは少ない初期状態とクラッチシュー２３３の摩耗が進んで使用限界に近づいた終期状態との間でカム角度αが同じになる曲率の曲面に形成されている。ここで、カム角度αが同じとは、厳密に同一角度になることのみを意味するものではなく、所定の許容範囲を含むものである。本発明者らの実験によれば、クラッチシュー２３３の摩耗が初期状態の場合のカム角度αに対してクラッチシュー２３３の摩耗が終期状態の場合のカム角度αが±５°の範囲を同一の角度と見做すことができる。
【００５１】
このウエイト側カム体２３５を構成する曲面は、種々の方法で規定することができる。例えば、ウエイト側カム体２３５を構成する曲面は、クラッチシュー２３３の摩耗が初期状態でクラッチアウター２４０の円筒面２４１に接触している場合のカム角度αを基準として、クラッチシュー２３３の摩耗が終期状態でクラッチアウター２４０の円筒面２４１に接触している場合に前記カム角度αを維持可能な曲率の曲面が形成される。また、例えば、ウエイト側カム体２３５を構成する曲面は、クラッチシュー２３３の摩耗が終期状態でクラッチアウター２４０の円筒面２４１に接触している場合のカム角度αを基準として、クラッチシュー２３３の摩耗が初期状態でクラッチアウター２４０の円筒面２４１に接触している場合に前記カム角度αとなるような曲率の曲面が形成される。
【００５２】
本実施形態においては、このウエイト側カム体２３５は、カム角度αが４０°で維持されるように半径が２４ｍｍの単一の円弧で形成されている。しかし、ウエイト側カム体２３５を規定するカム角度αおよび曲面形状は、遠心クラッチ２００の仕様に応じて決定されるものであり、本実施形態に限定されるものでないことは当然である。
【００５３】
クラッチアウター２４０は、ドライブシャフト１３３と一体的に回転駆動する部品であり、金属材料をドライブプレート２１０からクラッチウエイト２３０の外周面を覆うカップ状に形成して構成されている。すなわち、クラッチアウター２４０は、ドライブプレート２１０の外周側に変位したクラッチウエイト２３０のクラッチシュー２３３に摩擦接触する円筒面２４１を有して構成されている。
【００５４】
（遠心クラッチ２００の作動）
次に、上記のように構成した遠心クラッチ２００の作動について図６〜図９を用いて説明する。なお、この図６〜図９においては、Ｅリング２１４ｂ、サイドプレート２１６および連結スプリング２３２を省略している。また、図７〜図９においては、遠心クラッチ２００におけるドライブプレート２１０、クラッチアウター２４０の回転駆動方向をそれぞれ破線矢印で示している。また、図７〜図１０においては、プレート側カム体２１８の回転方向をそれぞれ破線矢印で示している。また、図６〜図８は、クラッチシュー２３３の摩耗がないまたは少ない初期状態での遠心クラッチ２００の作動状態を示している。
【００５５】
この遠心クラッチ２００は、自動二輪車車両（例えば、スクータ）におけるエンジンと駆動輪となる後輪との間に配置された動力伝達機構１００の一部を構成して機能する。まず、遠心クラッチ２００は、エンジンがアイドリング状態においては、図６に示すように、エンジンとドライブシャフト１３３との間の駆動力の伝達を遮断する。具体的には、遠心クラッチ２００は、変速機１０１を介して伝達されるエンジンの回転駆動力によってドライブプレート２１０が回転駆動してクラッチウエイト２３０が回転駆動する。
【００５６】
しかし、この場合、遠心クラッチ２００は、クラッチウエイト２３０に作用する遠心力が連結スプリング２３２の弾性力（引張力）よりも小さいため、クラッチシュー２３３がクラッチアウター２４０の円筒面２４１に接触せずエンジンの回転駆動力がドライブシャフト１３３に伝達されることはない。また、この場合、ウエイト側カム体２３５は、連結スプリング２３２の弾性力（引張力）によってプレート側カム体２１８のローラ面に押し付けられて接触した状態を維持している。
【００５７】
そして、クラッチウエイト２３０は、連結されている２つの連結スプリング２３２のうちの揺動支持ピン２１４に対してより遠い位置から引っ張る連結スプリング２３２（ウエイト側カム体２３５に隣接した位置に引っ掛けられている連結スプリング２３２）の引張力によって引っ張られる。この場合、クラッチウエイト２３０は、ピン摺動孔２３１が長孔状に形成されているため、ウエイト側カム体２３５に隣接した位置に引っ掛けられている連結スプリング２３２側に変位する。これにより、揺動支持ピン２１４は、ピン摺動孔２３１におけるドライブプレート２１０の回転駆動方向の後方側端部に位置することになる（図６参照）。
【００５８】
一方、遠心クラッチ２００は、自動二輪車両における運転者のアクセル操作によるエンジンの回転数の増加に応じてエンジンの回転駆動力をドライブシャフト１３３に伝達する。具体的には、遠心クラッチ２００は、エンジンの回転数が増加するに従ってクラッチウエイト２３０に作用する遠心力が連結スプリング２３２の弾性力（引張力）よりも大きくなってクラッチウエイト２３０が揺動支持ピン２１４を中心として径方向外側に向かって回動変位する。
【００５９】
すなわち、遠心クラッチ２００は、エンジンの回転数が増加するに従ってクラッチウエイト２３０が連結スプリング２３２の弾性力（引張力）に抗しながらクラッチアウター２４０の円筒面２４１側に回動変位する結果、クラッチシュー２３３が円筒面２４１に接触する。この場合、クラッチウエイト２３０は、揺動支持ピン２１４とピン摺動孔２３１とが樹脂製の支点側摺動部材２１５を介して摺動するため、円滑に回動変位することができる。
【００６０】
このクラッチシュー２３３が円筒面２４１に接触した場合、クラッチウエイト２３０は、クラッチシュー２３３を介して回転駆動方向とは反対方向の反力を受ける。この場合、ピン摺動孔２３１は、ドライブプレート２１０の周方向に沿う長孔状に形成されているとともに、揺動支持ピン２１４がピン摺動孔２３１におけるドライブプレート２１０の回転駆動方向の後方側端部に位置している。すなわち、クラッチウエイト２３０は、図７に示すように、ドライブプレート２１０の回転駆動方向の後方への変位が許容された状態にあるため、クラッチシュー２３３を介して受ける反力によってドライブプレート２１０の回転駆動方向とは反対方向に相対変位する。この場合においても、クラッチウエイト２３０は、揺動支持ピン２１４とピン摺動孔２３１とが樹脂製の支点側摺動部材２１５を介して摺動するため、円滑に変位することができる。
【００６１】
これにより、クラッチウエイト２３０に形成されたウエイト側カム体２３５は、プレート側カム体２１８に強く押し付けられる。この場合、プレート側カム体２１８は、カム体支持ピン２１７に対して回転自在に支持されているため、ウエイト側カム体２３５による押し付けによって図示反時計回りに回転する。これにより、クラッチウエイト２３０は、ウエイト側カム体２３５がプレート側カム体２１８を回転変位させながらプレート側カム体２１８上に乗り上がるに従って径方向外側のクラッチアウター２４０側に押されてクラッチシュー２３３が同円筒面２４１に押し付けられる。この場合、プレート側カム体２１８は、樹脂材料で構成されているため、両部品が金属材料で構成されている場合に比べて円滑に回転変位することができる。
【００６２】
この結果、遠心クラッチ２００は、クラッチシュー２３３がクラッチアウター２４０の円筒面２４１に接触した後、極めて短時間（換言すれば、瞬間的）にクラッチシュー２３３が円筒面２４１に押し付けられてエンジンの回転駆動力を完全にドライブシャフト１３３に伝達する連結状態となる。すなわち、クラッチウエイト２３０は、プレート側カム体２１８とクラッチアウター２４０との間に楔状に入り込んだ状態となる。そして、この場合、クラッチウエイト２３０は、クラッチシュー２３３の摩耗がないまたは少ない初期状態におけるカム角度αでプレート側カム体２１８とクラッチアウター２４０との間に楔状に入り込む。
【００６３】
また、この場合、ピン摺動孔２３１は、クラッチウエイト２３０は、プレート側カム体２１８とクラッチアウター２４０との間に楔状に入り込んだ状態において、揺動支持ピン２１４が接触しない長さに形成されている。すなわち、ピン摺動孔２３１は、クラッチウエイト２３０がプレート側カム体２１８とクラッチアウター２４０との間に楔状に入り込んだ状態においても支点側摺動部材２１５との間に隙間Ｓが確保されているため、クラッチウエイト２３０のプレート側カム体２１８とクラッチアウター２４０との間への入り込みを阻害することはない。
【００６４】
この連結状態において遠心クラッチ２００は、クラッチシュー２３３がクラッチアウター２４０の円筒面２４１に押し付けられた状態を維持するため、ドライブプレート２１０とクラッチアウター２４０とは一体的に回転駆動する。これにより、自動二輪車両は、エンジンの回転駆動力によって後輪が回転駆動して走行することができる。
【００６５】
一方、エンジンの回転数が減少していく場合においては、遠心クラッチ２００は、エンジンの回転駆動力のドライブシャフト１３３への伝達を遮断する。具体的には、遠心クラッチ２００は、エンジンの回転数が減少するに従ってクラッチウエイト２３０に作用する遠心力が連結スプリング２３２の弾性力（引張力）よりも小さくなってクラッチウエイト２３０が揺動支持ピン２１４を中心として径方向内側に向かって回動変位する。
【００６６】
この場合、ピン摺動孔２３１は、図８に示すように、ドライブプレート２１０の周方向に沿う長孔状に形成されているとともに、揺動支持ピン２１４がピン摺動孔２３１におけるドライブプレート２１０の回転駆動方向の後方側の端部より若干前方側に位置している。すなわち、クラッチウエイト２３０は、ドライブプレート２１０の回転駆動方向の前方への変位が許容された状態にあるため、連結スプリング２３２の弾性力（引張力）によってドライブプレート２１０の回転駆動方向の前方に向かってドライブプレートに対して相対的に回転変位する。この場合、クラッチウエイト２３０は、ウエイト側カム体２３５がプレート側カム体２１８を図示時計回りに回転変位させながら変位する。
【００６７】
これにより、クラッチウエイト２３０は、元の位置（前記アイドリング時の位置）に復帰する（図６参照）。すなわち、遠心クラッチ２００は、クラッチシュー２３３がクラッチアウター２４０に接触せず回転駆動力を伝達しない遮断状態となる。また、クラッチウエイト２３０は、連結されている２つの連結スプリング２３２のうちの揺動支持ピン２１４に対してより遠い位置から引っ張る連結スプリング２３２（ウエイト側カム体２３５に隣接した位置に引っ掛けられている連結スプリング２３２）側に変位する。
【００６８】
これにより、揺動支持ピン２１４は、ピン摺動孔２３１におけるドライブプレート２１０の回転駆動方向の後方側端部に位置することになる（図６参照）。このようなエンジンの回転数が減少していく場合においても、クラッチウエイト２３０は、樹脂材の支点側摺動部材２１５およびプレート側カム体２１８によって円滑に回動変位することができる。
【００６９】
次に、クラッチシュー２３３の摩耗が進んで厚さが薄くなり使用限界に近い終期状態となった場合について説明する。このクラッチシュー２３３の終期状態においても、遠心クラッチ２００は、前記と同様の過程を経て連結状態となる。すなわち、遠心クラッチ２００は、図９に示すように、プレート側カム体２１８がカム体支持ピン２１７に対してクラッチシュー２３３の摩耗量に相当する分だけ回転することでクラッチシュー２３３のクラッチアウター２４０の円筒面２４１への押し付け力が維持される。
【００７０】
この場合、ピン摺動孔２３１は、クラッチシュー２３３の摩耗量に相当する分だけクラッチウエイト２３０がプレート側カム体２１８とクラッチアウター２４０との間に楔状に入り込んだ場合であっても支点側摺動部材２１５が接触しない隙間Ｓを確保した長さに形成されている。したがって、ピン摺動孔２３１は、クラッチシュー２３３の摩耗量に相当する分だけクラッチウエイト２３０がプレート側カム体２１８とクラッチアウター２４０との間に楔状に入り込んだ場合であっても、クラッチウエイト２３０のプレート側カム体２１８とクラッチアウター２４０との間への入り込みを阻害することはない。
【００７１】
そして、この終期状態においても遠心クラッチ２００は、ウエイト側カム体２３５がクラッチシュー２３３の摩耗が進む前後においてカム角度αを維持する曲面に形成されているため、カム角度αが変化することはない。すなわち、遠心クラッチ２００は、クラッチシュー２３３の初期状態から終期状態に至る間においてカム角度αを一定してアシスト推力を一定に維持することができる。これにより、遠心クラッチ２００は、自動二輪車両を運転する運転者に対してクラッチシュー２３３の摩耗が進む過程で運転操作のフィーリングに変化を感じさせることを防止することができる。
【００７２】
上記作動説明からも理解できるように、上記実施形態によれば、遠心クラッチ２００は、ドライブプレート２１０に設けられたプレート側カム体２１８およびクラッチウエイト２３０に設けられたウエイト側カム体２３５における各摺動面のうちの両方が曲面で構成されるとともに、これらの摺動面がクラッチシュー２３３の摩耗が進む前後においてクラッチシュー２３３がクラッチアウター２４０の円筒面２４１に接触したときのカム角度αが同じになる曲面に形成されている。これにより、本発明に係る遠心クラッチ２００においては、クラッチシュー２３３が摩耗してもアシスト推力を一定に維持して運転操作のフィーリングを一定にすることができるとともに、アシスト推力が上昇することを抑制してプレート側カム体２１８とウエイト側カム体２３５との面圧およびクラッチシュー２３３とクラッチアウター２４０との面圧の上昇を抑えて摩擦部分の摩耗および損傷を抑制することができる。
【００７３】
さらに、本発明の実施にあたっては、上記実施形態に限定されるものではなく、本発明の目的を逸脱しない限りにおいて種々の変更が可能である。なお、下記各変形例において、上記実施形態と同様の構成部分については同じ符号を付して、その説明を省略する。また、各変形例を示す図１０ないし図１４のうちの図１０、図１２および図１３においては、Ｅリング２１４ｂ、サイドプレート２１６および連結スプリング２３２を省略するとともに、遠心クラッチ２００におけるドライブプレート２１０およびクラッチアウター２４０の回転駆動方向をそれぞれ破線矢印で示している。
【００７４】
例えば、上記実施形態においては、遠心クラッチ２００は、クラッチシュー２３３の摩耗が進む前後においてクラッチシュー２３３がクラッチアウター２４０の円筒面２４１に接触したときのカム角度αが同じになるようにウエイト側カム体２３５の摺動面を曲面状に形成した。しかし、遠心クラッチ２００は、クラッチシュー２３３の摩耗が進む前後においてクラッチシュー２３３がクラッチアウター２４０の円筒面２４１に接触したときのカム角度αが大きくなるようにウエイト側カム体２３５の摺動面を曲面状に形成することもできる。
【００７５】
具体的には、遠心クラッチ２００は、図１０に示すように、ウエイト側カム体２３５の摺動面を構成する曲面を上記実施形態における曲面の曲率よりも大きな曲率の曲面に形成すればよい。これによれば、遠心クラッチ２００は、クラッチシュー２３３の摩耗が進むに従ってアシスト推力を低下させてクラッチシュー２３３およびクラッチアウター２４０などの摩擦部材の摩耗が早まることおよびクラッチシュー２３３が摩耗によって失われたクラッチウエイト２３０がクラッチアウター２４０の円筒面２４１に接触して互いに損傷することを抑制することができる。
【００７６】
また、上記実施形態においては、遠心クラッチ２００は、ドライブプレート２１０に設けられたプレート側カム体２１８を回転自在なローラで構成するとともに、クラッチウエイト２３０に形成されたウエイト側カム体２３５を曲面で構成した。すなわち、遠心クラッチ２００は、互いに摺動し合って一対のカムを構成するプレート側カム体２１８およびウエイト側カム体２３５をそれぞれ曲面で構成した。しかし、遠心クラッチ２００は、互いに摺動し合って一対のカムを構成するプレート側カム体２１８およびウエイト側カム体２３５のうちの少なくとも一方を曲面で構成すればよい。
【００７７】
したがって、遠心クラッチ２００は、ウエイト側カム体２３５を従来技術と同様に直線的な平面形状に形成するとともに、プレート側カム体２１８を構成する曲面をクラッチシュー２３３の摩耗が進む前後においてクラッチシュー２３３がクラッチアウター２４０の円筒面２４１に接触したときのカム角度αが同じまたは大きくなる形状に形成することができる。また、遠心クラッチ２００は、プレート側カム体２１８を直線的な平面形状に形成するとともに、ウエイト側カム体２３５を構成する曲面をクラッチシュー２３３の摩耗が進む前後においてクラッチシュー２３３がクラッチアウター２４０の円筒面２４１に接触したときのカム角度αが同じまたは大きくなる形状に形成することができる。
【００７８】
また、上記実施形態においては、プレート側カム体２１８は、ドライブプレート２１０上で回転自在なローラで構成した。しかし、プレート側カム体２１８は、ドライブプレート２１０の外周部から外側に張り出して形成されてウエイト側カム体２３５を介してクラッチウエイト２３０を外側に押し出す形状であってドライブプレート２１０の回転駆動軸方向に延びる面、換言すれば、ドライブプレート２１０の板面に対して起立する面を有して構成されていればよい。
【００７９】
つまり、プレート側カム体２１８およびウエイト側カム体２３５は、少なくとも一方がドライブプレート２１０の回転駆動方向の後方側に向かってドライブプレート２１０の外側に延びて形成されていればよい。この場合、プレート側カム体２１８およびウエイト側カム体２３５は、ドライブプレート２１０の回転駆動方向の後方側に向かうとともにドライブプレート２１０の外側に延びた部分がプレート側カム体２１８およびウエイト側カム体２３５の全体または部分的に形成されていればよい。
【００８０】
したがって、遠心クラッチ２００は、例えば、プレート側カム体２１８をドライブプレート２１０に対して回転摺動不能な固定状態で構成することができる。また、遠心クラッチ２００は、例えば、図１１ないし図１３にそれぞれ示すように、ドライブプレート２１０の鍔部２１３上にカム体支持ピン２１７に代えて垂直方向に起立する棒状体で構成されるとともにこの棒状体の外表面の一部に曲面からなる摺動面を有したプレート側カム体２１９を設けて構成することができる。また、これらの場合、プレート側カム体２１８は、ウエイト側カム体２３５に対して凸状に張り出す曲面のほかに、凹状に凹む曲面で構成することもできる。
【００８１】
また、プレート側カム体２１８は、樹脂材料以外の材料、例えば、金属材料（例えば、炭素鋼、鉄系焼結材またはアルミニウム材など）で構成することができる。この場合、プレート側カム体２１８は、カム体支持ピン２１７またはウエイト側カム体２３５と同じ材料で構成してもよいし、カム体支持ピン２１７またはウエイト側カム体２３５とは異なる材料で構成することができる。また、プレート側カム体２１８は、カム体支持ピン２１７および／またはウエイト側カム体２３５を構成する材料よりも摩耗し易い材料で構成することにより、カム体支持ピン２１７および／またはウエイト側カム体２３５の摩耗を抑えることができる。また、プレート側カム体２１８は、カム体支持ピン２１７および／またはウエイト側カム体２３５を構成する材料よりも摺動性が良い材料（例えば、アルミニウム材）で構成することにより、カム体支持ピン２１７とウエイト側カム体２３５との間の摺動性を向上させることができる。また、プレート側カム体２１８は、耐熱性および耐摩耗性を有する材料（例えば、金属材料またはセラミック材）で構成することもできる。
【００８２】
また、上記実施形態においては、プレート側カム体２１８およびウエイト側カム体２３５は、それぞれ１つずつの曲率の曲面で構成した。しかし、プレート側カム体２１８およびウエイト側カム体２３５は、それぞれ２つ以上の曲率の曲面で構成することもできる。これによれば、遠心クラッチ２００は、クラッチシュー２３３の摩耗量に応じてアシスト推力を変化させることができる。
【００８３】
また、上記実施形態においては、プレート側カム体２１８およびウエイト側カム体２３５は、ドライブプレート２１０およびクラッチウエイト２３０にそれぞれ１つずつ設けた。しかし、プレート側カム体２１８およびウエイト側カム体２３５は、ドライブプレート２１０およびクラッチウエイト２３０にそれぞれ２つ以上、すなわち２対以上設けることもできる。
【００８４】
また、上記実施形態においては、ウエイト側カム体２３５は、プレート側カム体２１８に対して凹状に凹む曲面に形成して構成した。しかし、ウエイト側カム体２３５は、プレート側カム体２１８上を摺動して乗り上げる形状に形成されていればよい。したがって、ウエイト側カム体２３５は、例えば、図１２または図１３にそれぞれ示すように、プレート側カム体２１８に対して凸状に張り出す曲面に形成して構成することもできる。
【００８５】
また、上記実施形態においては、プレート側カム体２３５およびウエイト側カム体２３５は、互いに摺動し合う摺動面が摺動方向に沿って凸状に湾曲する曲面で構成した。これにより、プレート側カム体２３５とウエイト側カム体２３５と互いに線接触で摺動することになる。しかし、プレート側カム体２３５およびウエイト側カム体２３５は、少なくとも一方を摺動方向に直交する方向にも湾曲する曲面で構成することもできる。例えば、図１４には、プレート側カム体２３５に対して摺動方向および摺動方向に直交する方向（図示においてクラッチウエイト２３０の厚さ方向）にそれぞれ凸状に湾曲する曲面で構成されている。これによれば、遠心クラッチ２００は、プレート側カム体２３５とウエイト側カム体２３５との摩擦抵抗を少なくすることができるため、駆動力の伝達状態および遮断状態の相互の移行を円滑にすることができる。
【００８６】
また、上記実施形態においては、遠心クラッチ２００は、揺動支持ピン２１４をドライブプレート２１０に設けるとともに、ピン摺動孔２３１をクラッチウエイト２３０に設けて構成した。しかし、揺動支持ピン２１４およびピン摺動孔２３１は、一方がドライブプレート２１０またはクラッチウエイト２３０に設けられるとともに、他方がクラッチウエイト２３０またはドライブプレート２１０に設けられていればよい。したがって、遠心クラッチ２００は、揺動支持ピン２１４をクラッチウエイト２３０に設けるとともに、ピン摺動孔２３１をドライブプレート２１０に設けて構成することもできる。
【００８７】
また、上記実施形態においては、ピン摺動孔２３１は、円弧状の貫通孔で構成した。しかし、ピン摺動孔２３１は、クラッチウエイト２３０のクラッチシュー２３３がクラッチアウター２４０の円筒面２４１から最も離隔した状態（図６参照）においてクラッチウエイト２３０のドライブプレート２１０の回転駆動方向の後方側への変位を許容する長孔に形成されていればよく、必ずしも上記実施形態に限定されるものではない。
【００８８】
したがって、ピン摺動孔２３１は、ドライブプレート２１０の径方向に直交する接線方向に延びる直線状に形成することもできる。また、ピン摺動孔２３１は、一方が開口するとともに他方が塞がれた所謂止り穴で構成することもできる。
【００８９】
また、上記実施形態においては、支点側摺動部材２１５は、樹脂材料を円筒状に形成して揺動支持ピン２１４の外周部に回転摺動可能な状態で設けた。換言すれば、支点側摺動部材２１５は、揺動支持ピン２１４に対してローラとして機能するように構成した。しかし、支点側摺動部材２１５は、揺動支持ピン２１４とピン摺動孔２３１との間に設けられて両者を摺動変位させるように構成されていればよい。
【００９０】
したがって、支点側摺動部材２１５は、樹脂材料以外の材料、例えば、金属材料で構成することができる。この場合、支点側摺動部材２１５は、揺動支持ピン２１４またはピン摺動孔２３１と同じ材料で構成してもよいし、揺動支持ピン２１４またはピン摺動孔２３１とは異なる材料で構成することができる。この場合、支点側摺動部材２１５は、揺動支持ピン２１４および／またはピン摺動孔２３１を構成する材料よりも摩耗し易い材料で構成することにより、揺動支持ピン２１４および／またはピン摺動孔２３１の摩耗を抑えることができる。また、支点側摺動部材２１５は、揺動支持ピン２１４および／またはピン摺動孔２３１を構成する材料よりも摺動性が良い材料（例えば、アルミニウム材）で構成することにより、揺動支持ピン２１４とピン摺動孔２３１との間の摺動性を向上させることができる。また、支点側摺動部材２１５は、耐熱性および耐摩耗性を有する材料（例えば、金属材料またはセラミック材）で構成することもできる。
【００９１】
また、支点側摺動部材２１５は、揺動支持ピン２１４の外周部に回転摺動不能な固定状態で設けることができる。この場合、支点側摺動部材２１５は、揺動支持ピン２１４に嵌合する筒状に形成してもよいし、揺動支持ピン２１４に切欠き部分を形成しておき、この切欠き部分に嵌合する平面状または円弧状に延びる板状に形成することもできる。また、支点側摺動部材２１５は、揺動支持ピン２１４に形成した切欠き部分に樹脂材料をインサート成形して構成することもできる。さらに、揺動支持ピン２１４自体およびピン摺動孔２３１自体のうちの一方を樹脂材料で構成することもできる。なお、支点側摺動部材２１５は、揺動支持ピン２１４の外周部に回転摺動可能に構成することにより、揺動支持ピン２１４に組み付け易いとともに摺動抵抗を抑えることができる。
【００９２】
また、支点側摺動部材２１５は、揺動支持ピン２１４に加えてまたは代えてピン摺動孔２３１に設けることもできる。また、遠心クラッチ２００は、支点側摺動部材２１５を省略して揺動支持ピン２１４とピン摺動孔２３１とを直接嵌合させて摺動させるように構成することもきできる。
【符号の説明】
【００９３】
Ｐ…プレート側カム体とウエイト側カム体との接触点、Ｏ…ドライブプレートの回転駆動中心、Ｓ…隙間、α…カム角、Ｌ１…プレート側カム体とウエイト側カム体との接点とドライブプレートの回転駆動中心とを共に通る直線、Ｌ２…Ｌ１の法線、Ｌ３…プレート側カム体とウエイト側カム体との接点における接線、
１００…動力伝達機構、１０１…変速機、
１１０…ドライブプーリ、１１１…クランク軸、１１２…固定ドライブプレート、１１２ａ…放熱フィン、１１３…可動ドライブプレート、１１４…スリーブ軸受、１１５…ローラウエイト、１１６…ランププレート、
１２０…Ｖベルト、
１３０…ドリブンプーリ、１３１…固定ドリブンプレート、１３２…ドリブンスリーブ、１３３…ドライブシャフト、１３４…可動ドリブンプレート、１３５…トルクスプリング、
２００…遠心クラッチ、
２１０…ドライブプレート、２１１…底部、２１１ａ…貫通孔、２１２…筒部、２１３…鍔部、２１４…揺動支持ピン、２１４ａ…取付ボルト、２１４ｂ…Ｅリング、２１５…支点側摺動部材、２１６…サイドプレート、２１７…カム体支持ピン、２１７ａ…取付ボルト、２１８，２１９…プレート側カム体、
２２０…ダンパー受けピン、２２１…ダンパー、
２３０…クラッチウエイト、２３１…ピン摺動孔、２３２…連結スプリング、２３３…クラッチシュー、２３４…プレート側カム体逃げ部、２３５…ウエイト側カム体、
２４０…クラッチアウター、２４１…円筒面。
【図１】
2019196825.tif 000003
【図２】
2019196825.tif 000004
【図３】
2019196825.tif 000005
【図４】
2019196825.tif 000006
【図５】
2019196825.tif 000007
【図６】
2019196825.tif 000008
【図７】
2019196825.tif 000009
【図８】
2019196825.tif 000010
【図９】
2019196825.tif 000011
【図１０】
2019196825.tif 000012
【図１１】
2019196825.tif 000013
【図１２】
2019196825.tif 000014
【図１３】
2019196825.tif 000015
【図１４】
2019196825.tif 000016